(57)【要約】【課題】処理能力に優れた蓄熱式燃焼装置およびガスの燃焼処理方法、を提供する。【解決手段】蓄熱式燃焼装置１００は、有機溶剤を含むガスを燃焼処理する燃焼室１０と、燃焼室１０に連通し、蓄熱材１２が配置され、処理後のガスから蓄熱材１２への蓄熱と、蓄熱した蓄熱材１２から処理前のガスへの放熱とを交互に繰り返す蓄熱室１３および蓄熱室１４と、有機溶剤を含むガスを、蓄熱室１３および蓄熱室１４に交互に供給する原ガス送風ライン５１と、有機溶剤を吸着可能な吸着材４２を有し、吸着材４２への有機溶剤の吸着により得られた清浄ガスを、蓄熱室１３または蓄熱室１４に供給する分岐送風ライン５２と、原ガス送風ライン５１および分岐送風ライン５２のいずれか一方に、有機溶剤を含むガスを選択的に導くダンパ３１，３５，３６とを備える。【選択図】図１
2014169844.tif 000002
【特許請求の範囲】
【請求項１】
有機溶剤を含むガスを燃焼処理する燃焼室と、
前記燃焼室に連通し、蓄熱材が配置され、処理後のガスから前記蓄熱材への蓄熱と、蓄熱した前記蓄熱材から処理前のガスへの放熱とを交互に繰り返す第１蓄熱室および第２蓄熱室と、
有機溶剤を含むガスを、前記第１蓄熱室および前記第２蓄熱室に交互に供給するガス供給部と、
有機溶剤を吸着可能な吸着部を有し、前記吸着部への有機溶剤の吸着により得られた清浄ガスを、前記第１蓄熱室または前記第２蓄熱室に供給する清浄ガス供給部と、
前記ガス供給部および前記清浄ガス供給部のいずれか一方に、有機溶剤を含むガスを選択的に導く切替手段とを備える、蓄熱式燃焼装置。
【請求項２】
前記第１蓄熱室および前記第２蓄熱室から交互に処理後のガスが排出されるガス排出部と、
前記ガス排出部を通じて排出される処理後のガスの一部を、前記吸着部に吸着した有機溶剤を脱着するための脱着ガスとして、前記吸着部に導く処理後ガス導入部とをさらに備える、請求項１に記載の蓄熱式燃焼装置。
【請求項３】
空気を加熱する加熱部を有し、前記加熱部により加熱された空気を、前記吸着部に吸着した有機溶剤を脱着するための脱着ガスとして、前記吸着部に導く加熱空気導入部をさらに備える、請求項１または２に記載の蓄熱式燃焼装置。
【請求項４】
前記第１蓄熱室および前記第２蓄熱室から交互に処理後のガスが排出されるガス排出部をさらに備え、
前記加熱部は、空気と、前記ガス排出部を通じて排出される処理後のガスとの熱交換により、空気を加熱する熱交換器である、請求項３に記載の蓄熱式燃焼装置。
【請求項５】
前記ガス供給部を通じて前記燃焼室に供給される処理前のガスの一部を、前記吸着部に吸着した有機溶剤を脱着するための脱着ガスとして、前記吸着部に導く処理前ガス導入部をさらに備える、請求項１から４のいずれか１項に記載の蓄熱式燃焼装置。
【請求項６】
前記吸着部から有機溶剤を脱着した脱着ガスを、前記燃焼室に戻すガス戻り部をさらに備える、請求項２から５のいずれか１項に記載の蓄熱式燃焼装置。
【請求項７】
前記ガス供給部に設けられ、ガスを前記燃焼室に向けて送り出すファンをさらに備え、
前記ガス戻り部は、前記ファンよりも前記ガス供給部におけるガス流れの上流側で、前記ガス供給部に接続される、請求項６に記載の蓄熱式燃焼装置。
【請求項８】
前記燃焼室に戻される脱着ガスの風量は、前記ガス供給部を通じて前記燃焼室に供給される処理前のガスの風量の１／１００以上１／５以下である、請求項６または７に記載の蓄熱式燃焼装置。
【請求項９】
請求項１から８のいずれか１項に記載の蓄熱式燃焼装置を用いて、有機溶剤を含むガスを燃焼処理する方法であって、
前記第１蓄熱室および前記第２蓄熱室のいずれか一方を通じて、前記燃焼室にガスを供給しつつ、前記第１蓄熱室および前記第２蓄熱室のいずれか他方を通じて、前記燃焼室からガスを排出することにより、前記燃焼室において有機溶剤を含むガスを燃焼処理する工程と、
前記ガスを燃焼処理する工程の後、ガスに含まれる有機溶剤を前記吸着部に吸着するとともに、前記吸着部への有機溶剤の吸着により得られた清浄ガスを、前記第１蓄熱室および前記第２蓄熱室のいずれか一方に供給する工程と、
前記清浄ガスを第１蓄熱室および第２蓄熱室のいずれか一方に供給する工程の後、前記第１蓄熱室および前記第２蓄熱室のいずれか他方を通じて、前記燃焼室にガスを供給しつつ、前記第１蓄熱室および前記第２蓄熱室のいずれか一方を通じて、前記燃焼室からガスを排出することにより、前記燃焼室において有機溶剤を含むガスを燃焼処理する工程とを備える、ガスの燃焼処理方法。
【請求項１０】
前記吸着部に脱着ガスを供給することにより前記吸着部に吸着した有機溶剤を脱着するとともに、前記吸着部から有機溶剤を脱着した脱着ガスを前記燃焼室に戻す工程をさらに備え、
前記脱着ガスを燃焼室に戻す工程を、前記ガスを燃焼処理する工程の開始時から終了時に渡って継続的に実行する、請求項９に記載のガスの燃焼処理方法。
【発明の詳細な説明】
【技術分野】
【０００１】
この発明は、一般的には、蓄熱式燃焼装置およびガスの燃焼処理方法に関し、より特定的には、各種工場や研究施設等から発生した有機溶剤を含むガスを燃焼処理するための蓄熱式燃焼装置、およびそのような蓄熱式燃焼装置を用いて有機溶剤を含むガスを燃焼処理する方法に関する。
【背景技術】
【０００２】
有機溶剤を含むガスを燃焼処理する装置として、直接燃焼装置、触媒燃焼装置および蓄熱式燃焼装置がある。この中でも蓄熱式燃焼装置は、熱回収効率が高く、ランニングコストが低く抑えられる装置として知られている。
【０００３】
このような蓄熱式燃焼装置に関して、たとえば、特開昭５４−１２８１７１号公報には、単純かつコンパクトに構成されており、少ないエネルギ損失で有害物質を完全に焼却することを目的とした、廃ガス中の有害物質の焼却装置が開示されている（特許文献１）。
【０００４】
特許文献１に開示された焼却装置は、加熱バーナを備えた昇温ゾーンと、昇温ゾーンの左右に設けられた２つの蓄熱ゾーンとを有する。まず、左側の蓄熱ゾーンを通過するガスは、その蓄熱ゾーンに蓄えられた熱量で予熱され、昇温ゾーンに移動する。ガスは、昇温ゾーンにおいて、加熱バーナよりの燃焼ガスにより加熱処理される。ガスは、続いて右側の蓄熱ゾーンを通過し、その間、蓄熱ゾーンと熱交換する。左側の蓄熱ゾーンによる予熱効果が低下すると、右側の蓄熱ゾーン、昇温ゾーンおよび左側の蓄熱ゾーンを順に通過するように、ガス流れが切り替えられる。
【０００５】
また、このほか、特開２００３−１３０３２３号公報（特許文献２）、特開２０１１−１０２６６４号公報（特許文献３）、特開平１０−４３５３８号公報（特許文献４）および特開２０００−１８５６４号公報（特許文献５）にも、各種の蓄熱式燃焼装置が開示されている。
【先行技術文献】
【特許文献】
【０００６】
【特許文献１】特開昭５４−１２８１７１号公報
【特許文献２】特開２００３−１３０３２３号公報
【特許文献３】特開２０１１−１０２６６４号公報
【特許文献４】特開平１０−４３５３８号公報
【特許文献５】特開２０００−１８５６４号公報
【発明の概要】
【発明が解決しようとする課題】
【０００７】
上記の特許文献１に開示された焼却装置では、左右の蓄熱ゾーンにおいて、蓄熱ゾーンから処理前のガスへの放熱と、処理後のガスから蓄熱ゾーンへの蓄熱とを交互に繰り返すことによって、高い熱回収効率を実現している。
【０００８】
しかしながら、このような構成を備える焼却装置においては、ガス流れの切替時に、加熱バーナを備えた昇温ゾーンに対してガス流れの上流側にあって、処理前のガスに放熱していた放熱側の蓄熱ゾーンが、ガス流れの下流側にあって、処理後のガスから蓄熱する蓄熱側の蓄熱ゾーンにシフトする。この際、放熱側から蓄熱側にシフトした蓄熱ゾーンに残留するガスが、処理が不十分なまま排出される可能性がある。これにより、蓄熱式燃焼装置の処理能力の低下を招く懸念が生じる。
【０００９】
そこでこの発明の目的は、上記の課題を解決することであり、処理能力に優れた蓄熱式燃焼装置およびガスの燃焼処理方法を提供することである。
【課題を解決するための手段】
【００１０】
この発明に従った蓄熱式燃焼装置は、有機溶剤を含むガスを燃焼処理する燃焼室と、燃焼室に連通し、蓄熱材が配置され、処理後のガスから蓄熱材への蓄熱と、蓄熱した蓄熱材から処理前のガスへの放熱とを交互に繰り返す第１蓄熱室および第２蓄熱室と、有機溶剤を含むガスを、第１蓄熱室および第２蓄熱室に交互に供給するガス供給部と、有機溶剤を吸着可能な吸着部を有し、吸着部への有機溶剤の吸着により得られた清浄ガスを、第１蓄熱室または第２蓄熱室に供給する清浄ガス供給部と、ガス供給部および清浄ガス供給部のいずれか一方に、有機溶剤を含むガスを選択的に導く切替手段とを備える。
【００１１】
このように構成された蓄熱式燃焼装置によれば、切替手段によりガスを導く先をガス供給部から清浄ガス供給部へと切り替えることによって、吸着部によりガスに含まれる有機溶剤を吸着し、これにより得られた清浄ガスを第１蓄熱室または第２蓄熱室に供給する。これにより、その第１蓄熱室または第２蓄熱室に残留するガスが燃焼室に送り出されるため、処理が不十分なガスが装置から排出されることを防止できる。したがって、本発明によれば、処理能力に優れた蓄熱式燃焼装置を実現することができる。
【００１２】
また好ましくは、蓄熱式燃焼装置は、第１蓄熱室および第２蓄熱室から交互に処理後のガスが排出されるガス排出部と、ガス排出部を通じて排出される処理後のガスの一部を、吸着部に吸着した有機溶剤を脱着するための脱着ガスとして、吸着部に導く処理後ガス導入部とをさらに備える。
【００１３】
このように構成された蓄熱式燃焼装置によれば、ガス排出部を通じて排出された処理後のガスの一部を脱着ガスとして利用することにより、有機溶剤を吸着した吸着部を再生することができる。
【００１４】
また好ましくは、蓄熱式燃焼装置は、空気を加熱する加熱部を有し、加熱部により加熱された空気を、吸着部に吸着した有機溶剤を脱着するための脱着ガスとして、吸着部に導く加熱空気導入部をさらに備える。
【００１５】
このように構成された蓄熱式燃焼装置によれば、加熱部により加熱された空気を脱着ガスとして利用することにより、有機溶剤を吸着した吸着部を再生することができる。
【００１６】
また好ましくは、蓄熱式燃焼装置は、第１蓄熱室および第２蓄熱室から交互に処理後のガスが排出されるガス排出部をさらに備える。加熱部は、空気と、ガス排出部を通じて排出される処理後のガスとの熱交換により、空気を加熱する熱交換器である。
【００１７】
このように構成された蓄熱式燃焼装置によれば、吸着部に導く空気を、ガス排出部を通じて排出された処理後のガスを利用して加熱することができる。
【００１８】
また好ましくは、蓄熱式燃焼装置は、ガス供給部を通じて燃焼室に供給される処理前のガスの一部を、吸着部に吸着した有機溶剤を脱着するための脱着ガスとして、吸着部に導く処理前ガス導入部をさらに備える。
【００１９】
このように構成された蓄熱式燃焼装置によれば、ガス供給部を通じて燃焼室に供給される処理前のガスの一部を脱着ガスとして利用することにより、有機溶剤を吸着した吸着部を再生することができる。
【００２０】
また好ましくは、蓄熱式燃焼装置は、吸着部から有機溶剤を脱着した脱着ガスを、燃焼室に戻すガス戻り部をさらに備える。
【００２１】
このように構成された蓄熱式燃焼装置によれば、吸着部から有機溶剤を脱着した脱着ガスを、燃焼室において燃焼処理することができる。
【００２２】
また好ましくは、蓄熱式燃焼装置は、ガス供給部に設けられ、ガスを燃焼室に向けて送り出すファンをさらに備える。ガス戻り部は、そのファンよりもガス供給部におけるガス流れの上流側で、ガス供給部に接続される。
【００２３】
このように構成された蓄熱式燃焼装置によれば、ガス供給部に設けられたファンを利用して、ガス戻り部からガス供給部を通じて燃焼室へと脱着ガスを戻すことができる。
【００２４】
また好ましくは、燃焼室に戻される脱着ガスの風量は、ガス供給部を通じて燃焼室に供給される処理前のガスの風量の１／１００以上１／５以下である。
【００２５】
このように構成された蓄熱式燃焼装置においては、燃焼室に戻される脱着ガスの風量をガス供給部を通じて燃焼室に供給される処理前のガスの風量の１／１００以上とすることによって、有機溶剤を吸着した吸着部を十分に再生させることができる。また、燃焼室に戻される脱着ガスの風量をガス供給部を通じて燃焼室に供給される処理前のガスの風量の１／５以下とすることによって、燃焼室で燃焼処理するガスの風量の変動を抑制することができる。これにより、燃焼室の大きさに過分な余裕を持たせる必要がなくなり、装置を小型に構成することができる。
【００２６】
この発明に従ったガスの燃焼処理方法は、上述のいずれかに記載の蓄熱式燃焼装置を用いて、有機溶剤を含むガスを燃焼処理する方法である。ガスの燃焼処理方法は、第１蓄熱室および第２蓄熱室のいずれか一方を通じて、燃焼室にガスを供給しつつ、第１蓄熱室および第２蓄熱室のいずれか他方を通じて、燃焼室からガスを排出することにより、燃焼室において有機溶剤を含むガスを燃焼処理する工程と、ガスを燃焼処理する工程の後、ガスに含まれる有機溶剤を吸着部に吸着するとともに、吸着部への有機溶剤の吸着により得られた清浄ガスを、第１蓄熱室および第２蓄熱室のいずれか一方に供給する工程と、清浄ガスを第１蓄熱室および第２蓄熱室のいずれか一方に供給する工程の後、第１蓄熱室および第２蓄熱室のいずれか他方を通じて、燃焼室にガスを供給しつつ、第１蓄熱室および第２蓄熱室のいずれか一方を通じて、燃焼室からガスを排出することにより、燃焼室において有機溶剤を含むガスを燃焼処理する工程とを備える。
【００２７】
このように構成されたガスの燃焼処理方法によれば、ガスの供給が第１蓄熱室および第２蓄熱室のいずれか一方からいずれか他方に切り替わる際に、有機溶剤を吸着部に吸着して得られた清浄ガスを、ガスが供給されていた第１蓄熱室および第２蓄熱室のいずれか一方に供給する。これにより、処理が不十分なガスが装置から排出されることを防止できる。
【００２８】
また好ましくは、ガスの燃焼処理方法は、吸着部に脱着ガスを供給することにより吸着部に吸着した有機溶剤を脱着するとともに、吸着部から有機溶剤を脱着した脱着ガスを燃焼室に戻す工程をさらに備える。脱着ガスを燃焼室に戻す工程を、ガスを燃焼処理する工程の開始時から終了時に渡って継続的に実行する。
【００２９】
このように構成されたガスの燃焼処理方法によれば、燃焼室で燃焼処理するガスの風量の変動を抑制することができる。これにより、燃焼室の大きさに過分な余裕を持たせる必要がなくなり、装置を小型に構成することができる。
【発明の効果】
【００３０】
以上に説明したように、この発明に従えば、処理能力に優れた蓄熱式燃焼装置およびガスの燃焼処理方法を提供することができる。
【図面の簡単な説明】
【００３１】
【図１】この発明の実施の形態１における蓄熱式燃焼装置を示す図である。
【図２】図１中の蓄熱式燃焼装置における各種ダンパの開閉状態を示す表である。
【図３】実施例における各種条件や測定結果を示す表である。
【図４】実施例において、脱着ガスの風量／原ガスの風量と、清浄ガス平均濃度との関係を示すグラフである。
【図５】図１中の蓄熱式燃焼装置の第１変形例を示す図である。
【図６】図１中の蓄熱式燃焼装置の第２変形例を示す図である。
【図７】図１中の蓄熱式燃焼装置の第３変形例を示す図である。
【発明を実施するための形態】
【００３２】
この発明の実施の形態について、図面を参照して説明する。なお、以下で参照する図面では、同一またはそれに相当する部材には、同じ番号が付されている。
【００３３】
（実施の形態１）
図１は、この発明の実施の形態１における蓄熱式燃焼装置を示す図である。図１を参照して、まず、本実施の形態における蓄熱式燃焼装置１００の構造について説明する。
【００３４】
蓄熱式燃焼装置１００は、有機溶剤を含むガス（原ガス）を燃焼処理することにより、ガスから有機溶剤を分離除去するための装置である。
【００３５】
蓄熱式燃焼装置１００において処理可能な有機溶剤は、特に限定されないが、一例として、酢酸エチル、酢酸メチル、酢酸プロピル、酢酸ブチル、トルエン、キシレン、メチルエチルケトン、メチルイソブチルケトン、塩化メチレン、クロロホルム、ジクロロメタン、メタノール、エタノール、２−プロパノール、ブタノールまたはこれらの混合物が挙げられる。
【００３６】
蓄熱式燃焼装置１００は、燃焼室１０と、蓄熱室１３および蓄熱室１４の２室の蓄熱室とを有する。燃焼室１０は、原ガスを燃焼処理するための内部空間を形成する。燃焼室１０内には、バーナ１１が設けられている。
【００３７】
蓄熱室１３および蓄熱室１４は、燃焼室１０に連通して設けられている。燃焼室１０に対して給排出されるガスの流れ方向において、燃焼室１０を中心にその両側に蓄熱室１３および蓄熱室１４が設けられている。蓄熱室１３および蓄熱室１４は、燃焼室１０を中心に対称に設けられている。蓄熱室１３および蓄熱室１４は、互いに等しい容積を有する。
【００３８】
蓄熱室１３および蓄熱室１４には、蓄熱材１２が設けられている。蓄熱材１２は、原ガスに含まれる有機溶剤に対しての耐性や、燃焼室１０内の温度に対して耐熱性を有していれば、特に限定されない。蓄熱材１２としては、たとえば、コージェライトやアルミナを主成分とするセラミック担体が用いられる。蓄熱材１２の構造も特に限定されないが、圧力損失を抑える観点から、ハニカム構造体が好ましい。
【００３９】
蓄熱式燃焼装置１００は、原ガス送風ライン５１、原ガス用ファン１５および排ガス送風ライン５０をさらに有する。
【００４０】
原ガス送風ライン５１は、流体が流通可能な管路を構成する。原ガス送風ライン５１は、図示しない原ガス供給源から燃焼室１０に向けて原ガスを供給するように設けられている。原ガス送風ライン５１は、蓄熱室１３および蓄熱室１４に連通している。原ガス送風ライン５１は、蓄熱室１３および蓄熱室１４の各蓄熱室に並列に連通している。原ガス送風ライン５１は、蓄熱室１３および蓄熱室１４を介して燃焼室１０に連通している。原ガス用ファン１５は、原ガス送風ライン５１の経路上に設けられている。原ガス用ファン１５の駆動に伴って、原ガスが原ガス送風ライン５１を流れて燃焼室１０に向けて供給される。
【００４１】
排ガス送風ライン５０は、流体が流通可能な管路を構成する。排ガス送風ライン５０は、燃焼室１０において燃焼処理された処理後のガスを、排ガスとして装置の系外に排出するように設けられている。排ガス送風ライン５０は、蓄熱室１３および蓄熱室１４に連通している。原ガス送風ライン５１は、蓄熱室１３および蓄熱室１４の各蓄熱室に並列に連通している。排ガス送風ライン５０は、蓄熱室１３および蓄熱室１４を介して燃焼室１０に連通している。
【００４２】
蓄熱式燃焼装置１００は、ダンパ（バルブ）６１およびダンパ６２と、ダンパ６３およびダンパ６４とをさらに有する。
【００４３】
ダンパ６１は、蓄熱室１３に連通する原ガス送風ライン５１の経路上に設けられている。ダンパ６１は、原ガス送風ライン５１を通って蓄熱室１３に向かう原ガスの流れを許容または規制するように設けられている。ダンパ６２は、蓄熱室１４に連通する原ガス送風ライン５１の経路上に設けられている。ダンパ６２は、原ガス送風ライン５１を通って蓄熱室１４に向かう原ガスの流れを許容または規制するように設けられている。
【００４４】
ダンパ６３は、蓄熱室１３に連通する排ガス送風ライン５０の経路上に設けられている。ダンパ６３は、蓄熱室１３から排ガス送風ライン５０に排出された排ガスの流れを許容または規制するように設けられている。ダンパ６４は、蓄熱室１４に連通する排ガス送風ライン５０の経路上に設けられている。ダンパ６４は、蓄熱室１４から排ガス送風ライン５０に排出された排ガスの流れを許容または規制するように設けられている。
【００４５】
なお、ダンパ６１〜６４および後述するダンパ３１，３５，３６，６６，６７の開閉操作は、図示しない制御部により自動制御される。また、本実施の形態では、これらのバルブに、流路を開閉可能な二方弁が用いられているが、流路を二分化可能な三方弁を適当に用いて、バルブの総数を削減してもよい。
【００４６】
本実施の形態における蓄熱式燃焼装置１００においては、処理後のガスから蓄熱材１２への蓄熱と、蓄熱した蓄熱材１２から処理前のガスへの放熱とを繰り返しながら、原ガスの燃焼処理を連続的に行なう。
【００４７】
より具体的には、ダンパ６１およびダンパ６４が開状態とされ、ダンパ６２およびダンパ６３が閉状態とされている場合、原ガスが原ガス送風ライン５１を流れて蓄熱室１３に供給される。原ガスは、蓄熱室１３に配置された蓄熱材１２の熱によって予熱されて、燃焼室１０へと移動する。原ガスは、燃焼室１０において燃焼処理され、蓄熱室１４へと移動する。燃焼処理により高温となったガスは、蓄熱室１４に配置された蓄熱材１２に放熱して、排ガス送風ライン５０に流出する。一方、ダンパ６１およびダンパ６４が閉状態とされ、ダンパ６２およびダンパ６３が開状態とされている場合、先の場合から、ガスの流れ方向が反転する。すなわち、原ガスが原ガス送風ライン５１を流れて蓄熱室１４に供給される。原ガスは、蓄熱室１４に配置された蓄熱材１２の熱によって予熱されて、燃焼室１０へと移動する。原ガスは、燃焼室１０において燃焼処理され、蓄熱室１３へと移動する。燃焼処理により高温となったガスは、蓄熱室１３に配置された蓄熱材１２に放熱して、排ガス送風ライン５０に流出する。
【００４８】
蓄熱式燃焼装置１００は、吸着チャンバ４１と、分岐送風ライン５２とをさらに有する。
【００４９】
吸着チャンバ４１は、分岐送風ライン５２の経路上に設けられている。吸着チャンバ４１には、有機溶剤を吸着可能な吸着部として吸着材４２が配置されている。
【００５０】
吸着材４２の種類および構造は、特に制限されない。吸着材４２としては、たとえば、活性炭、シリカゲル、ゼオライト、活性アルミナ等の吸着剤において、粒状、ペレット状、ハニカム状、フェルト状等の形態で用いられる。但し、圧力損失を抑える観点より、吸着材４２の構造は、最も低圧損であるハニカム状であることが好ましい。
【００５１】
分岐送風ライン５２は、流体が流通可能な管路を構成している。分岐送風ライン５２は、図示しない原ガス供給源から供給される原ガスを吸着チャンバ４１に導くとともに、吸着材４２により有機溶剤が吸着された清浄ガスを蓄熱室１３または蓄熱室１４に供給するように設けられている。
【００５２】
本実施の形態では、分岐送風ライン５２が、原ガス送風ライン５１から分岐し、再び原ガス送風ライン５１における原ガス流れの下流側で原ガス送風ライン５１に合流するように設けられている。分岐送風ライン５２は、原ガス用ファン１５よりも原ガス送風ライン５１における原ガス流れの下流側で、原ガス送風ライン５１から分岐している。分岐送風ライン５２は、ダンパ６１およびダンパ６２よりも原ガス送風ライン５１における原ガス流れの上流側で、原ガス送風ライン５１に合流している。
【００５３】
蓄熱式燃焼装置１００は、ダンパ３１と、ダンパ３５およびダンパ３６とをさらに有する。
【００５４】
ダンパ３１は、原ガス送風ライン５１の経路上に設けられている。ダンパ３１は、原ガス送風ライン５１を通って燃焼室１０に向かう原ガスの流れを許容または規制するように設けられている。ダンパ３１は、原ガス送風ライン５１に対する分岐送風ライン５２の分岐位置と合流位置との間に設けられている。
【００５５】
ダンパ３５およびダンパ３６は、分岐送風ライン５２の経路上に設けられている。ダンパ３５は、分岐送風ライン５２を通って吸着チャンバ４１に向かう原ガスの流れを許容または規制するように設けられ、ダンパ３６は、分岐送風ライン５２を通って燃焼室１０に向かう清浄ガスの流れを許容または規制するように設けられている。ダンパ３５は、吸着チャンバ４１よりも分岐送風ライン５２におけるガス流れの上流側に設けられている。ダンパ３６は、吸着チャンバ４１よりも分岐送風ライン５２におけるガス流れの下流側に設けられている。
【００５６】
ダンパ３１、ダンパ３５およびダンパ３６は、原ガスを原ガス送風ライン５１および分岐送風ライン５２のいずれか一方に選択的に導く切替手段として設けられている。より具体的には、ダンパ３１が開状態とされ、ダンパ３５およびダンパ３６が閉状態とされている場合、図示しない原ガス供給源からの原ガスは、原ガス送風ライン５１を通って蓄熱室１３または蓄熱室１４に供給される。一方、ダンパ３１が閉状態とされ、ダンパ３５およびダンパ３６が開状態とされている場合、図示しない原ガス供給源からの原ガスは、分岐送風ライン５２に導かれ、吸着チャンバ４１において吸着材４２に有機溶剤が吸着される。吸着材４２への有機溶剤の吸着により得られた清浄ガスは、分岐送風ライン５２を通って再び原ガス送風ライン５１に合流し、その後、蓄熱室１３または蓄熱室１４に供給される。
【００５７】
蓄熱式燃焼装置１００は、排ガス導入ライン５３と、戻りガス導入ライン５４と、ダンパ６６およびバルブ６７とをさらに有する。
【００５８】
排ガス導入ライン５３は、流体が流通可能な管路を構成する。排ガス導入ライン５３は、排ガス送風ライン５０を流れる排ガスの一部を、吸着材４２を再生するための脱着ガスとして吸着チャンバ４１に導入するように設けられている。排ガス導入ライン５３は、排ガス送風ライン５０から分岐し、分岐送風ライン５２に合流するように設けられている。排ガス導入ライン５３は、吸着チャンバ４１と、原ガス送風ライン５１に対する分岐送風ライン５２の合流位置との間で、分岐送風ライン５２に合流している。排ガス導入ライン５３は、吸着チャンバ４１とバルブ３６との間で分岐送風ライン５２に合流している。
【００５９】
戻りガス導入ライン５４は、流体が流通可能な管路を構成する。戻りガス導入ライン５４は、吸着材４２から有機溶剤を脱着し、吸着チャンバ４１から排出された脱着ガスを燃焼室１０に戻すように設けられている。戻りガス導入ライン５４は、分岐送風ライン５２から分岐し、原ガス送風ライン５１に合流するように設けられている。戻りガス導入ライン５４は、原ガス供給ライン５２に対する分岐送風ライン５２の分岐位置と、吸着チャンバ４１との間で、分岐送風ライン５２から分岐している。戻りガス導入ライン５４は、ダンパ３５と吸着チャンバ４１との間で分岐送風ライン５２から分岐している。戻りガス導入ライン５４は、原ガス用ファン１５よりも原ガス送風ライン５１における原ガス流れの上流側で、原ガス送風ライン５１に合流している。
【００６０】
ダンパ６６は、排ガス導入ライン５３の経路上に設けられている。ダンパ６６は、排ガス導入ライン５３を通って吸着チャンバ４１に向かう脱着ガスの流れを許容または規制するように設けられている。ダンパ６７は、戻りガス導入ライン５４の経路上に設けられている。ダンパ６７は、戻りガス導入ライン５４を通って原ガス送風ライン５１に向かう脱着ガスの流れを許容または規制するように設けられている。
【００６１】
ダンパ６６およびダンパ６７が開状態とされている場合、排ガス送風ライン５０を流れる排ガスの一部が、脱着ガスとして、排ガス導入ライン５３を流れて吸着チャンバ４１に導かれる。吸着チャンバ４１に導かれた脱着ガスは、吸着材４２に吸着された有機溶剤を脱着する。有機溶剤を脱着した脱着ガスは、戻りガス導入ライン５４を通って原ガス送風ライン５１に戻される。本実施の形態では、戻りガス導入ライン５４が原ガス用ファン１５よりも原ガス送風ライン５１における原ガス流れの上流側で原ガス送風ライン５１に合流しているため、原ガス用ファン１５を利用して、脱着ガスを原ガス送風ライン５１に戻すことができる。
【００６２】
吸着チャンバ４１の内部においては、吸着材１２が、円柱状を有する回転駆動可能な筒状吸着体として設けられてもよい。このような構成においては、原ガスおよび脱着ガスが別々のライン上で筒状吸着体の軸方向に流通可能なように設けられ、筒状吸着体が回転することによって、吸着処理を行なうエリアと脱着処理を行なうエリアとが入れ替わる。
【００６３】
続いて、本実施の形態における蓄熱式燃焼装置１００を用いて、原ガスを燃焼処理する方法について説明する。図２は、図１中の蓄熱式燃焼装置における各種ダンパの開閉状態を示す表である。
【００６４】
図１および図２を参照して、予め、バーナ１１より燃焼室１０内を８００〜９００℃の温度にまで加熱する。蓄熱室１３を通じて燃焼室１０に原ガスを供給しつつ、蓄熱室１４を通じて燃焼室１０からガスを排出することにより、燃焼室１０において原ガスを燃焼処理する（第１燃焼処理工程）。
【００６５】
本工程では、ダンパ３１を開状態とし、ダンパ３５およびダンパ３６を閉状態とすることによって、原ガスを原ガス送風ライン５１に導く。さらに、ダンパ６１およびダンパ６４を開状態とし、ダンパ６２およびダンパ６３を閉状態とすることによって、原ガス送風ライン５１を流れる原ガスを蓄熱室１３に供給するとともに、燃焼室１０において燃焼処理されたガスを、蓄熱室１４を通じて排ガス送風ライン５０に排出する。
【００６６】
次に、吸着材４２により原ガスに含まれる有機溶剤を吸着するとともに、吸着材４２への有機溶剤の吸着により得られた清浄ガスを、先の第１燃焼処理工程において原ガスが供給されていた蓄熱室１３に供給する（第１切替工程）。
【００６７】
本工程では、ダンパ６１〜６４の開閉状態を維持したまま、ダンパ３１を閉状態とし、ダンパ３５およびダンパ３６を開状態とすることによって、原ガス用ファン１５により送り出された原ガスを分岐送風ライン５２に導く。蓄熱室１３には、先の第１燃焼処理工程で原ガス送風ライン５１から供給された未処理の原ガスが残留している。吸着チャンバ４１で有機溶剤が吸着された清浄ガスを蓄熱室１３に供給することによって、その残留する原ガスを燃焼室１０に向けて押し出す。
【００６８】
次に、蓄熱室１４を通じて燃焼室１０に原ガスを供給しつつ、蓄熱室１３を通じて燃焼室１０からガスを排出することにより、燃焼室１０において原ガスを燃焼処理する（第２燃焼処理工程）。
【００６９】
本工程では、ダンパ３１を開状態とし、ダンパ３５およびダンパ３６を閉状態とすることによって、原ガスを原ガス送風ライン５１に導く。さらに、ダンパ６１およびダンパ６４を閉状態とし、ダンパ６２およびダンパ６３を開状態とすることによって、原ガス送風ライン５１を流れる原ガスを蓄熱室１４に供給し、燃焼室１０において燃焼処理されたガスを、蓄熱室１３を通じて排ガス送風ライン５０に排出する。この際、先の第１切替工程の実施によって、蓄熱室１３には原ガスが残留しないため、処理が十分でないガスが蓄熱室１３から排ガス送風ライン５０に排出されることを防止できる。
【００７０】
次に、吸着材４２により原ガスに含まれる有機溶剤を吸着するとともに、吸着材４２への有機溶剤の吸着により得られた清浄ガスを、先の第２燃焼処理工程において原ガスが供給されていた蓄熱室１４に供給する（第２切替工程）。
【００７１】
本工程では、ダンパ６１〜６４の開閉状態を維持したまま、ダンパ３１を閉状態とし、ダンパ３５およびダンパ３６を開状態とすることによって、原ガス用ファン１５により送り出された原ガスを分岐送風ライン５２に導く。蓄熱室１４には、先の第２燃焼処理工程で原ガス送風ライン５１から供給された未処理の原ガスが残留している。吸着チャンバ４１で有機溶剤が吸着された清浄ガスを蓄熱室１４に供給することによって、その残留する原ガスを燃焼室１０に向けて押し出す。
【００７２】
以降、第１燃焼工程、第１切替工程、第２燃焼工程および第２切替工程からなるサイクルを繰り返すことによって、有機溶剤を含むガスの燃焼処理を連続的に行なう。
【００７３】
さらに本実施の形態においては、上記の第１燃焼工程および第２燃焼工程時、排ガス導入ライン５３を通じて吸着チャンバ４１に導入される排ガスを脱着ガスとして利用して、有機溶剤を吸着した吸着材４２を再生させる。
【００７４】
具体的には、第１燃焼工程および第２燃焼工程の各工程時、ダンパ６６を開状態とすることによって、排ガス送風ライン５０を流れる排ガス（処理後のガス）の一部を脱着ガスとして、排ガス導入ライン５３を通じて吸着チャンバ４１に導く。吸着チャンバ４１に導かれた脱着ガスは、吸着材４２から有機溶剤を脱着して、吸着材４２を再生させる。さらに、ダンパ６７を開状態とすることによって、有機溶剤を脱着した脱着ガスを、戻りガス導入ライン５４を通じて原ガス送風ライン５１に戻す。原ガス送風ライン５１に戻された脱着ガスは、原ガス送風ライン５１を流れる原ガスと一緒になって燃焼室１０に向けて送り出され、再び燃焼処理される。
【００７５】
本実施の形態においては、第１燃焼工程および第２燃焼工程の各工程時に、戻りガス導入ライン５４を通じて原ガス送風ライン５１に戻される脱着ガスが原ガスに加算される。しかしながら、吸着チャンバ４１に導入する脱着ガスの風量を原ガスの風量と比較して低く抑えることによって、燃焼室１０、蓄熱室１３および蓄熱室１４の空塔速度が大幅に速くなることはない。このため、燃焼室１０、蓄熱室１３および蓄熱室１４が大きくなって蓄熱式燃焼装置１００の大型化を招くことはほとんどない。
【００７６】
以上に説明した、この発明の実施の形態１における蓄熱式燃焼装置１００は、バーナ１１を有する燃焼室１０と、燃焼室１０に連通する蓄熱室１３および蓄熱室１４の２室の蓄熱室と、吸着材４２が充填されている吸着チャンバ４１とを備える。蓄熱式燃焼装置１００は、原ガス用ファン１５より原ガスを燃焼室１０に送風する原ガス送風ライン５１と、原ガス送風ライン５１に流れる原ガスを吸着チャンバ４１に導入する分岐送風ライン５２との２つの送風ラインを備える。このような構成により、有機溶剤を含む原ガスを、蓄熱室１３または蓄熱室１４を通じて燃焼室１０へ導入させることと、吸着チャンバ４１に原ガスを導入することにより、原ガス中の有機溶剤が吸着材４２に吸着除去されて清浄化されたガス（清浄ガス）を、蓄熱室１３または蓄熱室１４を通じて燃焼室１０に導入させることとが可能となる。
【００７７】
原ガス送風ライン５１に原ガスが通風されている場合、分岐送風ライン５２には通風されず、逆に、分岐送風ライン５２に原ガスが通風されている場合、原ガス送風ライン５１には通風されない。本実施の形態における蓄熱式燃焼装置１００は、このような原ガス流れの切替手段として、制御部によって自動制御されるダンパ３１、ダンパ３５およびダンパ３６を有する。
【００７８】
分岐送風ライン５２より吸着チャンバ４１に原ガスが導入される場合、吸着材４２には原ガスに含有される有機溶剤が吸着するため、吸着材４２を脱着操作にて再生させる必要がある。このため、本実施の形態では、原ガス送風ライン５１に原ガスが通風されている時に、排ガスの一部を排ガス導入ライン５３を通じて吸着チャンバ４１に導入することによって、この脱着操作を実施する。これにより、次に分岐送風ライン５２に原ガスが通風される時には、吸着材４２が再生されている。この結果、吸着材４２を繰り返し用いることができるため、吸着材４２の交換期間が著しく長くなり、経済的である。
【００７９】
本実施の形態では、吸着チャンバ４１から排出され、有機溶剤を含有した脱着ガスを再び燃焼室１０に導入するための戻りガス導入ライン５４が設けられている。これより、吸着材４２より脱着して排出された有機溶剤を、燃焼室１０において燃焼処理することができる。さらに本実施の形態では、戻りガス導入ライン５４が、原ガス用ファン１５よりも、原ガス送風ライン５１における原ガス流れの上流側に接続されるため、戻りガス導入ライン５４が負圧となる。これにより、脱着ガスを原ガス送風ライン５１に戻すためのファンを別に設ける必要がなくなり、より経済的である。
【００８０】
続いて、本実施の形態における蓄熱式燃焼装置１００およびこれを用いたガス燃焼処理方法のより好ましい形態について説明する。
【００８１】
（１）上記の第１切替工程において、蓄熱室１３に供給する清浄ガスの流量Ｗは、蓄熱室１３の容積Ｖ以上であることが好ましい（Ｗ≧Ｖ）。上記の第２切替工程において、蓄熱室１４に供給する清浄ガスの流量Ｗは、蓄熱室１４の容積Ｖ以上であることが好ましい（Ｗ≧Ｖ）。これらの場合、清浄ガスの供給によって、蓄熱室１３または蓄熱室１４に残留する原ガスをより確実に燃焼室１０に向けて押し出すことができる。
【００８２】
（２）各蓄熱室に対する清浄ガスの供給量（パージ量）が増えると吸着材４２に吸着する有機溶剤の量も増えるため、吸着材４２を再生させるために必要な脱着ガスの流量も増大する。これにより、戻りガス導入ライン５４を通じて原ガス送風ライン５１に戻される脱着ガスの流量が増大すると、燃焼室１０や蓄熱室１３，１４の容積を大きくする必要が生じる。結果、蓄熱式燃焼装置１００の大型化を招く懸念が生じる。
【００８３】
このような懸念に鑑みて、上記の第１切替工程および第２切替工程の各切替工程において、蓄熱室１３または蓄熱室１４に供給する清浄ガスの流量Ｗは、蓄熱室１３の容積Ｖと、燃焼室１０の容積Ｘと、蓄熱室１４の容積Ｖとの和以下であることが好ましい（Ｗ≦Ｘ＋２Ｖ）。また、上記の第１切替工程および第２切替工程の各切替工程において、蓄熱室１３または蓄熱室１４に供給する清浄ガスの流量Ｗは、蓄熱室１３または蓄熱室１４の容積Ｖと、燃焼室１０の容積Ｘとの和以下であることがさらに好ましい（Ｗ≦Ｘ＋Ｖ）。また、上記の第１切替工程および第２切替工程の各切替工程において、蓄熱室１３または蓄熱室１４に供給する清浄ガスの流量Ｗは、蓄熱室１３または蓄熱室１４の容積Ｖと、燃焼室１０の容積の半分（Ｘ／２）との和以下であることがさらに好ましい（Ｗ≦Ｘ／２＋Ｖ）。
【００８４】
（３）戻りガス導入ライン５４を通じて原ガス送風ライン５１に戻される脱着ガスの風量は、原ガス送風ライン５１を通じて燃焼室１０に供給される原ガスの風量（脱着ガスが合流する前の原ガスの風量）の１／１００以上１／５以下であることが好ましい。
【００８５】
原ガス送風ライン５１に戻される脱着ガスの風量を、原ガス送風ライン５１を通じて燃焼室１０に供給される原ガスの風量の１／１００以上とすることによって、有機溶剤を吸着した吸着材４２を十分に再生させることができる。また、原ガス送風ライン５１に戻される脱着ガスの風量を、原ガス送風ライン５１を通じて燃焼室１０に供給される原ガスの風量の１／５以下とすることによって、燃焼室１０で燃焼処理するガスの風量の変動を抑制することができる。これにより、燃焼室の大きさに過分な余裕を持たせる必要がなくなり、装置を小型に構成することができる。
【００８６】
同様の観点から、戻りガス導入ライン５４を通じて原ガス送風ライン５１に戻される脱着ガスの風量は、原ガス送風ライン５１を通じて燃焼室１０に供給される原ガスの風量（再生用ガスが合流する前の原ガスの風量）の１／８０以上１／２０以下であることがさらに好ましい。
【００８７】
脱着ガスの風量を原ガスの風量の１／１００以上、より好ましくは１／８０以上とすることによって奏される作用効果を、以下に説明する実施例により確認した。
【００８８】
図３は、実施例における各種条件や測定結果を示す表である。図３を参照して、本実施例では、図１中に示す蓄熱式燃焼装置１００により、有機溶剤として酢酸エチルを含む原ガスを燃焼処理した。吸着材４２としては、ハニカム状のゼオライトを用いた。この際、脱着ガスの風量を変化させることによって、原ガスの風量に対する脱着ガスの風量の割合を変化させ、各風量比において吸着チャンバから蓄熱室に供給される清浄ガスの有機溶剤濃度（清浄ガス平均濃度）を測定した。
【００８９】
図４は、実施例において、脱着ガスの風量／原ガスの風量と、清浄ガス平均濃度との関係を示すグラフである。図４を参照して、脱着ガスの風量／原ガスの風量の値が１／１００より小さい範囲では、清浄ガス平均濃度が比較的高い値となり、脱着ガスの風量／原ガスの風量の値が１／１００以上の範囲では、清浄ガス平均濃度がほぼ飽和して低い値となった。特に脱着ガスの風量／原ガスの風量の値が１／８０以上の範囲では、低濃度の清浄ガスが得られることを確認できた。
【００９０】
（４）脱着ガスを燃焼室１０に戻す工程を、第１燃焼工程および第２燃焼工程の各工程の開始時から終了時に渡って継続的に実行することが好ましい。このような構成によれば、第１燃焼工程および第２燃焼工程の各工程の間、原ガス送風ライン５１への脱着ガスの合流に起因して、燃焼室１０で燃焼処理するガスの風量が大きく変動することを回避できる。これにより、燃焼室１０の大きさに過分な余裕を持たせる必要がなくなり、装置を小型に構成することができる。
【００９１】
以上に説明した、この発明の実施の形態１における蓄熱式燃焼装置１００およびこれを用いたガス燃焼処理方法によれば、燃焼室１０における原ガスの流れを反転させる際に、原ガスが供給されていた蓄熱室に清浄ガスを供給することによって、その蓄熱室に残留する原ガスを燃焼室１０に向けて送り出す。これにより、排出されるガス中に未燃焼分の有機溶剤が含まれることのないシステムを実現することができる。また、吸着チャンバ４１、原ガス送風ライン５１および分岐送風ライン５２を設けることによって、蓄熱室を２室式にすることが可能となる。これにより、有機溶剤ガスの除去性能が高く、設置面積を省スペース化した装置を実現することができる。
【００９２】
本実施の形態における蓄熱式燃焼装置１００は、蓄熱室２室式において、原ガス連続供給における有機溶剤含有ガスの高効率な除去性能と高効率な熱回収効率とを実現し、基本的に吸着材の交換が必要のない装置である。このため、設備増大を必要とせずに、吸着材の交換作業を省略でき、設置面積の省スペース化とコスト低減とが可能となる。これより、特に研究所や工場等の幅広い分野から発生する排ガスの処理を、低ランニングコストで処理することができ、産業界に大きく寄与することができる。
【００９３】
なお、吸着チャンバ４１と同様の構成を備える吸着チャンバを、原ガス送風ライン５１の経路上に設けてもよい。このような構成によれば、原ガス中の有機溶剤の濃度変動がある場合であっても、吸着チャンバによるバッファ効果によって、有機溶剤の濃度を平準化することができる。有機溶剤の濃度を平準化させることにより、燃焼室１０における燃焼処理が安定化し、燃焼室１０の温度変動も小さくなる。このため、蓄熱材１２による蓄熱および放熱効率が向上し、装置の制御性も向上させることができる。
【００９４】
（実施の形態２）
本実施の形態では、実施の形態１における蓄熱式燃焼装置１００の各種変形例について説明する。以下、実施の形態１における蓄熱式燃焼装置１００と比較して重複する構造については、その説明を繰り返さない。
【００９５】
図５は、図１中の蓄熱式燃焼装置の第１変形例を示す図である。図５を参照して、本変形例における蓄熱式燃焼装置２００は、実施の形態１における蓄熱式燃焼装置１００と比較して、吸着チャンバ４１に向けて脱着ガスを供給する構造が異なる。
【００９６】
蓄熱式燃焼装置２００は、吸着チャンバ４１に向けて脱着ガスを供給する構造として、外気導入ライン５６、脱着ガス用ファン１６、加熱設備１７およびダンパ６６を有する。
【００９７】
外気導入ライン５６は、流体が流通可能な管路を構成する。外気導入ライン５６は、外部空間の外気を吸着材４２を再生するための脱着ガスとして吸着チャンバ４１に導入するように設けられている。外気導入ライン５６は、外部空間から延び、分岐送風ライン５２に合流するように設けられている。外気導入ライン５６は、吸着チャンバ４１と、原ガス送風ライン５１に対する分岐送風ライン５２の合流位置との間で、分岐送風ライン５２に合流している。
【００９８】
ダンパ６６、加熱設備１７および脱着ガス用ファン１６は、外気導入ライン５６の経路上に設けられている。脱着ガス用ファン１６の駆動に伴って、脱着ガスとしての外気が外気導入ライン５６を流れて吸着チャンバ４１に向けて供給される。加熱設備１７は、外気導入ライン５６を流れる外気を加熱する加熱部として設けられている。加熱設備１７は、外気を加熱可能な設備であれば特に限定されないが、たとえば、電気ヒータや蒸気ヒータにより構成されている。
【００９９】
本実施の形態では、第１燃焼工程および第２燃焼工程の各工程時、ダンパ６６を開状態とすることによって、外気を外気導入ライン５６を通じて吸着チャンバ４１に導く。この際、加熱設備１７による加熱によって、高温の外気が吸着チャンバ４１に導かれる。一般的に、吸着材の脱着操作は圧力を下げるか加熱することで行われるが、加熱する方が設備を簡便に構成することができる。
【０１００】
このような構成によれば、第１燃焼工程および第２燃焼工程の各工程時に、吸着チャンバ４１に加熱ガスを導入することによって、吸着材４２を効率良く再生することができる。
【０１０１】
図６は、図１中の蓄熱式燃焼装置の第２変形例を示す図である。図６を参照して、本変形例における蓄熱式燃焼装置３００は、図５中の蓄熱式燃焼装置２００と比較して、図５中の加熱設備１７に替えて熱交換器４０を有する。
【０１０２】
熱交換器４０は、外気導入ライン５６の経路上に設けられている。熱交換器４０には、排ガス送風ライン５０を流れる排ガスが導かれる。熱交換器４０は、外気導入ライン５６を流れる外気と、排ガス送風ライン５０を流れる排ガスとの間の熱交換によって、外気を加熱可能なように設けられている。このような構成により、吸着チャンバ４１には、熱交換器４０において排ガスとの熱交換によって加熱された外気が供給される。
【０１０３】
このような構成によれば、吸着チャンバ４１に供給する脱着ガスの加熱に燃焼室１０から排出されるガスの排熱を利用するため、より経済的である。
【０１０４】
図７は、図１中の蓄熱式燃焼装置の第３変形例を示す図である。図７を参照して、本変形例における蓄熱式燃焼装置４００は、実施の形態１における蓄熱式燃焼装置１００と比較して、吸着チャンバ４１に向けて脱着ガスを供給する構造が異なる。
【０１０５】
蓄熱式燃焼装置４００は、吸着チャンバ４１に向けて脱着ガスを供給する構造として、原ガス導入ライン７１、脱着ガス用ファン１６、熱交換器４０およびダンパ６６を有する。
【０１０６】
原ガス導入ライン７１は、流体が流通可能な管路を構成する。原ガス導入ライン７１は、原ガス送風ライン５１を流れる原ガスの一部を、吸着材４２を再生するための脱着ガスとして吸着チャンバ４１に導入するように設けられている。
【０１０７】
原ガス導入ライン７１は、原ガス送風ライン５１から分岐し、分岐送風ライン５２に合流するように設けられている。原ガス導入ライン７１は、原ガス用ファン１５よりも原ガス送風ライン５１における原ガス流れの上流側で、原ガス送風ライン５１から分岐している。原ガス導入ライン７１は、原ガス送風ライン５１に対する戻りガス導入ライン５４の合流位置よりも、原ガス送風ライン５１における原ガス流れの上流側で、原ガス送風ライン５１から分岐している。原ガス導入ライン７１は、脱着チャンバ４１と、原ガス送風ライン５１に対する分岐送風ライン５２の合流位置との間で、分岐送風ライン５２に合流している。原ガス導入ライン７１は、吸着チャンバ４１とバルブ３６との間で分岐送風ライン５２に合流している。
【０１０８】
ダンパ６６、熱交換器４０および脱着ガス用ファン１６は、原ガス導入ライン７１の経路上に設けられている。脱着ガス用ファン１６の駆動に伴って、脱着ガスとしての原ガスが原ガス導入ライン７１を流れて吸着チャンバ４１に向けて供給される。熱交換器４０には、排ガス送風ライン５０を流れる排ガスが導かれる。熱交換器４０は、原ガス導入ライン７１を流れる原ガスと、排ガス送風ライン５０を流れる排ガスとの間の熱交換によって、原ガスを加熱可能なように設けられている。
【０１０９】
このような構成によれば、第１燃焼工程および第２燃焼工程の各工程時に、吸着チャンバ４１に加熱された原ガスを導入することによって、吸着材４２を効率良く再生することができる。
【０１１０】
なお、以上に説明した実施の形態または各種変形例における蓄熱式燃焼装置の構造を適宜組み合わせて、新たな蓄熱式燃焼装置を構成してもよい。たとえば、図５中の蓄熱式燃焼装置２００に、図７中の原ガス導入ライン７１を組み合わせることによって、外気の替わりに原ガスを加熱設備１７に供給する構成としてもよい。
【０１１１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１１２】
この発明は、主に、有機溶剤を含むガスを燃焼処理する装置に適用される。
【符号の説明】
【０１１３】
１０  燃焼室、１１  バーナ、１２  蓄熱材、１３，１４  蓄熱室、１５  原ガス用ファン、１６  脱着ガス用ファン、１７  加熱設備、３１，３５，３６，６１，６２，６３，６４，６６，６７  ダンパ、４０  熱交換器、４１  吸着チャンバ、４２  吸着材、５０  排ガス送風ライン、５１  原ガス送風ライン、５２  分岐送風ライン、５３  排ガス導入ライン、５４  戻りガス導入ライン、５６  外気導入ライン、７１  原ガス導入ライン、１００，２００，３００，４００  蓄熱式燃焼装置。
【図１】
2014169844.tif 000003
【図２】
2014169844.tif 000004
【図３】
2014169844.tif 000005
【図４】
2014169844.tif 000006
【図５】
2014169844.tif 000007
【図６】
2014169844.tif 000008
【図７】
2014169844.tif 000009